(57)【要約】  スマートフォン（１）は、タッチスクリーンディスプレイ（２）と、タッチスクリーンにより物体がタッチスクリーンディスプレイ（２）に接触したまま所定の方向に移動したことが検出されると、当該移動の軌跡に沿って、文字の入力が可能なメモオブジェクト（５５）をタッチスクリーンディスプレイ（２）に表示された画面上に表示させるコントローラと、を備える。これにより、スマートフォン（１）は、使い勝手を向上させることができる。
2014175395.tif 000002
【特許請求の範囲】
【請求項１】
タッチスクリーンディスプレイと、
前記タッチスクリーンディスプレイにより物体が当該タッチスクリーンディスプレイに接触したまま所定の方向に移動したことが検出されると、当該移動の軌跡に沿って、文字の入力が可能なオブジェクトを前記タッチスクリーンディスプレイに表示された画面上に表示させるコントローラと、
を備える装置。
【請求項２】
前記コントローラは、ホーム画面を前記タッチスクリーンディスプレイに表示しているときに、前記ホーム画面の端部領域内を始点とする前記移動が検出されると前記オブジェクトを前記ホーム画面上に表示し、前記ホーム画面の端部領域外を始点とする前記移動が検出されると、表示されているホーム画面を別のホーム画面に変更する
請求項１に記載の装置。
【請求項３】
前記コントローラは、所定のアイコンが表示されるホーム画面を前記タッチスクリーンディスプレイに表示し、前記物体の前記所定のアイコンに対する接触が検出された後前記物体が接触したまま所定の方向に移動したことが検出されると、前記アイコンを始点とし前記移動の軌跡に沿った前記オブジェクトを前記ホーム画面上に表示させる
請求項１に記載の装置。
【請求項４】
前記コントローラは、前記移動の方向に応じて、前記オブジェクトに対して文字を縦書きで入力可能とするか或いは横書きで入力可能とするかを決定する
請求項１から請求項３のいずれか一項に記載の装置。
【請求項５】
タッチスクリーンディスプレイと、
前記タッチスクリーンディスプレイに対してスワイプが行われると、当該スワイプの軌跡に沿って、文字の入力が可能なオブジェクトを前記タッチスクリーンディスプレイに表示された画面上に表示させるコントローラと、
を備える装置。
【請求項６】
タッチスクリーンディスプレイと、
前記タッチスクリーンディスプレイがなぞられると、なぞられた領域に、文字の入力が可能なオブジェクトを前記タッチスクリーンディスプレイに表示された画面上に表示させるコントローラと、
を備える装置。
【請求項７】
タッチスクリーンディスプレイを備える装置を制御する方法であって、
前記タッチスクリーンディスプレイにより物体が当該タッチスクリーンディスプレイに接触したまま所定の方向に移動したことを検出するステップと、
検出された当該移動の軌跡に沿って、文字の入力が可能なオブジェクトを前記タッチスクリーンディスプレイに表示された画面上に表示させるステップと
を含む方法。
【請求項８】
タッチスクリーンディスプレイを備える装置に、
前記タッチスクリーンディスプレイにより物体が当該タッチスクリーンディスプレイに接触したまま所定の方向に移動したことを検出するステップと、
検出された当該移動の軌跡に沿って、文字の入力が可能なオブジェクトを前記タッチスクリーンディスプレイに表示された画面上に表示させるステップと
を実行させるプログラム。
【発明の詳細な説明】
【技術分野】
【０００１】
本出願は、装置、方法、及びプログラムに関する。特に、本出願は、タッチスクリーンを有する装置、その装置を制御する方法、及びその装置を制御するためのプログラムに関する。
【背景技術】
【０００２】
タッチスクリーンを備えるタッチスクリーンデバイスが知られている。タッチスクリーンデバイスには、例えば、スマートフォン及びタブレットが含まれる。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、Ｗｉｎｄｏｗｓ（登録商標）  Ｐｈｏｎｅである。
【先行技術文献】
【特許文献】
【０００４】
【特許文献１】国際公開第２００８／０８６３０２号
【発明の概要】
【発明が解決しようとする課題】
【０００５】
タッチスクリーンデバイスを備えた装置、方法、及びプログラムにおいては、使い勝手の向上が求められている。
【課題を解決するための手段】
【０００６】
１つの態様に係る装置は、タッチスクリーンディスプレイと、前記タッチスクリーンディスプレイにより物体が当該タッチスクリーンディスプレイに接触したまま所定の方向に移動したことが検出されると、当該移動の軌跡に沿って、文字の入力が可能なオブジェクトを前記タッチスクリーンディスプレイに表示された画面上に表示させるコントローラと、を備える。【０００７】
１つの態様に係る装置は、タッチスクリーンディスプレイと、前記タッチスクリーンディスプレイに対してスワイプが行われると、当該スワイプの軌跡に沿って、文字の入力が可能なオブジェクトを前記タッチスクリーンディスプレイに表示された画面上に表示させるコントローラと、を備える。【０００８】
１つの態様に係る装置は、タッチスクリーンディスプレイと、前記タッチスクリーンディスプレイがなぞられると、なぞられた領域に、文字の入力が可能なオブジェクトを前記タッチスクリーンディスプレイに表示された画面上に表示させるコントローラと、を備える。【０００９】
１つの態様に係る方法は、タッチスクリーンディスプレイを備える装置を制御する方法であって、前記タッチスクリーンディスプレイにより物体が当該タッチスクリーンディスプレイに接触したまま所定の方向に移動したことが検出されると、当該移動の軌跡に沿って、文字の入力が可能なオブジェクトを前記タッチスクリーンディスプレイに表示された画面上に表示させるステップを含む。【００１０】
１つの態様に係るプログラムは、タッチスクリーンディスプレイを備える装置に、前記タッチスクリーンディスプレイにより物体が当該タッチスクリーンディスプレイに接触したまま所定の方向に移動したことが検出されると、当該移動の軌跡に沿って、文字の入力が可能なオブジェクトを前記タッチスクリーンディスプレイに表示された画面上に表示させるステップを実行させる。
【発明の効果】
【００１１】
本発明によれば、使い勝手が向上された装置、方法、及びプログラムを提供することができる。
【図面の簡単な説明】
【００１２】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、実施形態に係るスマートフォンの機能を示すブロック図である。
【図６】図６は、実施形態に係るスマートフォンが行う制御の第１の例を示す図である。
【図７】図７は、実施形態に係るスマートフォンが行う制御の処理手順を示すフローチャートである。
【図８】図８は、メモオブジェクトに文字を入力する処理を示す図である。
【図９Ａ】図９Ａは、実施形態に係るスマートフォンが行う制御の第２の例を示す図である。
【図９Ｂ】図９Ｂは、実施形態に係るスマートフォンが行う制御の第２の例を示す図である。
【図１０】図１０は、実施形態に係るスマートフォンが行う制御の第３の例を示す図である。
【図１１Ａ】図１１Ａは、実施形態に係るスマートフォンが行う制御の第４の例を示す図である。
【図１１Ｂ】図１１Ｂは、実施形態に係るスマートフォンが行う制御の第４の例を示す図である。
【図１２】図１２は、実施形態に係るスマートフォンが行う制御の第５の例を示す図である。
【図１３】図１３は、実施形態に係るスマートフォンが行う制御の第６の例を示す図である。
【発明を実施するための形態】
【００１３】
図面を参照しつつ実施形態を詳細に説明する。以下では、タッチスクリーンを備える装置の一例として、スマートフォンについて説明する。
（実施形態）
図１から図３を参照しながら、本実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１４】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１５】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００１６】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。
【００１７】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂが接触を検出する指、ペン、又はスタイラスペン等は単に「指」ということがある。
【００１８】
スマートフォン１は、タッチスクリーン２Ｂにより検出された接触、接触が検出された位置、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１９】
「タッチ」は、タッチスクリーン２Ｂに指が触れるジェスチャである。スマートフォン１は、タッチスクリーン２Ｂに指が接触するジェスチャをタッチとして判別する。スマートフォン１は、タッチスクリーン２Ｂに単数の指が接触するジェスチャをシングルタッチとして判別する。スマートフォン１は、タッチスクリーン２Ｂに複数の指が接触するジェスチャをマルチタッチとして判別する。スマートフォン１は、マルチタッチの場合、接触が検出された指の本数を検出する。「ロングタッチ」とは、タッチスクリーン２Ｂに指が一定時間以上触れるジェスチャである。スマートフォン１は、タッチスクリーン２Ｂに指が一定時間以上接触するジェスチャをロングタッチとして判別する。
【００２０】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２１】
「タップ」は、タッチに続いてリリースをするジェスチャである。スマートフォン１  は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２２】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２３】
「フリック」は、タッチに続いて指が一方方向へ移動しながらリリースするジェスチャである。スマートフォン１は、タッチに続いて指が一方方向へ移動しながらリリースするジェスチャをフリックとして判別する。フリックの移動速度は、スワイプおよびドラッグの移動速度と比較して高速である。フリックは、指が画面の上方向へ移動する「上フリック」、指が画面の下方向へ移動する「下フリック」、指が画面の右方向へ移動する「右フリック」、指が画面の左方向へ移動する「左フリック」、指が画面の斜め左上方向へ移動する「斜め左上フリック」、指が画面の斜め左下方向へ移動する「斜め左下フリック」、指が画面の斜め右上方向へ移動する「斜め右上フリック」、指が画面の斜め右下方向へ移動する「斜め右下フリック」等を含む。
【００２４】
「ピンチイン」は、複数の指が近付く方向にスワイプするジェスチャである。スマートフォン１は、複数の指が近付く方向にスワイプするジェスチャをピンチインとして判別する。「ピンチアウト」は、複数の指が遠ざかる方向にスワイプするジェスチャである。スマートフォン１は、複数の指が遠ざかる方向にスワイプするジェスチャをピンチアウトとして判別する。
【００２５】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なる。以下では、説明を簡単にするために、「タッチスクリーン２Ｂが接触を検出し、検出された接触に基づいてジェスチャの種別をスマートフォン１がＸと判別すること」を、「スマートフォン１がＸを検出する」、又は「コントローラがＸを検出する」と記載することがある。
【００２６】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２７】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップが検出されると、メールアプリケーションを実行する。
【００２８】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン又はバックスクリーンと呼ばれることもある。スマートフォン１は、任意の画像を壁紙４１として用いることができる。利用者の設定に従って任意の画像が壁紙４１として決定されてもよい。
【００２９】
スマートフォン１は、ホーム画面４０の数を増減することができる。スマートフォン１は、例えば、ホーム画面４０の数を利用者による設定に従って決定する。スマートフォン１は、ホーム画面４０の数が複数であっても、選択された１つをディスプレイ２Ａに表示する。
【００３０】
スマートフォン１は、ホーム画面４０上に、１つ又は複数のシンボルを含むロケータ５１を表示する。シンボルの数は、ホーム画面４０の数と一致する。ロケータ５１は、どのホーム画面４０が現在表示されているかを示す。ロケータ５１において、現在表示されているホーム画面４０に対応するシンボルは、他のシンボルと異なる態様で表示される。
【００３１】
図４に示す例では、３つのシンボルを含むロケータ５１が表示されている。これは、ホーム画面４０の数が３つであることを示す。３つのシンボル各々は、円形である。図４に示す例では、左端のシンボルが他のシンボルと異なる態様で表示されている。すなわち、左端のシンボルを除くシンボルは円形の枠として表示されているが、左端のシンボルは円形の枠の内部が塗りつぶされた状態で表示されている。これは、左端のホーム画面４０が現在ディスプレイ２Ａに表示されていることを示している。
【００３２】
スマートフォン１は、ホーム画面４０を表示中に横方向のジェスチャを検出すると、当該ジェスチャに応じてディスプレイ２Ａに表示するホーム画面４０を切り替える。例えば、スマートフォン１は、右フリックを検出すると、ディスプレイ２Ａに表示するホーム画面４０を１つ左のホーム画面４０に切り替える。例えば、スマートフォン１は、左フリックを検出すると、ディスプレイ２Ａに表示するホーム画面４０を１つ右のホーム画面４０に切り替える。スマートフォン１が左右方向のフリックジェスチャに応じてホーム画面４０を横方向に切り替える処理については、後で詳細に説明する。スマートフォン１は、ホーム画面４０を横方向に切り替えると、ロケータ５１の表示を、切り替え後のホーム画面４０の位置に合わせて更新する。
【００３３】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３４】
ホーム画面４０の上下方向は、ディスプレイ２Ａに表示される文字または画像の上下方向を基準とした方向である。よって、ホーム画面４０は、タッチスクリーンディスプレイ２の長手方向において領域４２に近い側がホーム画面４０の上側となり、領域４２から遠い側がホーム画面４０の下側となる。領域４２において電波レベルマーク４４が表示されている側がホーム画面４０の右側であり、領域４２において残量マーク４３が表示されている側がホーム画面４０の左側である。スマートフォン１は、ホーム画面４０に表示される文字または画像の上下方向に基づいて、例えば、ホーム画面４０の斜め左上方向、斜め右下方向、左方向、および、右方向を決定する。
【００３５】
図４に示したホーム画面４０は、一例であり、各種の要素の形態、各種の要素の配置、ホーム画面４０の数、及びホーム画面４０での各種の操作の仕方等は上記の説明の通りでなくてもよい。
【００３６】
図５は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００３７】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、接触を検出する。コントローラ１０は、スマートフォン１に対するジェスチャを検出する。コントローラ１０は、タッチスクリーン２Ｂと協働することによって、タッチスクリーン２Ｂ（タッチスクリーンディスプレイ２）に対する操作（ジェスチャ）を検出する。
【００３８】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュである。
【００３９】
ボタン３Ａ〜３Ｃは、例えば、ホームボタン、バックボタン、又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００４０】
照度センサ４は、照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。照度センサ４及び近接センサ５は、一つのセンサとして構成されていてもよい。
【００４１】
通信ユニット６は、無線により通信する。通信ユニット６によって行われる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４２】
レシーバ７及びスピーカ１１は、コントローラ１０から送信される音声信号を音声として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、利用者等の音声を音声信号へ変換してコントローラ１０へ送信する。
【００４３】
ストレージ９は、プログラム及びデータを記憶する。ストレージ９は、コントローラ１０の処理結果を一時的に記憶する作業領域としても利用される。ストレージ９は、半導体記憶デバイス、及び磁気記憶デバイス等の任意の非一過的（ｎｏｎ−ｔｒａｎｓｉｔｏｒｙ）な記憶デバイスを含んでよい。ストレージ９は、複数の種類の記憶デバイスを含んでよい。ストレージ９は、メモリカード、光ディスク、又は光磁気ディスク等の可搬の記憶媒体と、記憶媒体の読み取り装置との組み合わせを含んでよい。
【００４４】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂを介して検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００４５】
ストレージ９は、例えば、制御プログラム９Ａ、メールアプリケーション９Ｂ、ブラウザアプリケーション９Ｃ及び設定データ９Ｚを記憶する。メールアプリケーション９Ｂは、電子メール機能を提供する。電子メール機能は、例えば、電子メールの作成、送信、受信、及び表示等を可能にする。ブラウザアプリケーション９Ｃは、ＷＥＢブラウジング機能を提供する。ＷＥＢブラウジング機能は、例えば、ＷＥＢページの表示、及びブックマークの編集等を可能にする。設定データ９Ｚは、スマートフォン１の動作に関する各種の設定機能を提供する。
【００４６】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、ジェスチャに応じて表示させるホーム画面４０を変更する機能が含まれる。制御プログラム９Ａが提供する機能は、メールアプリケーション９Ｂ等の他のプログラムが提供する機能と組み合わせて利用されることがある。
【００４７】
コントローラ１０は、演算回路である。演算回路は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、又はＦＰＧＡ（Ｆｉｅｌｄ−Ｐｒｏｇｒａｍｍａｂｌｅ  Ｇａｔｅ  Ａｒｒａｙ）である。コントローラ１０は、スマートフォン１の動作を統括的に制御して各種の機能を実現する。
【００４８】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じてディスプレイ２Ａ及び通信ユニット６等の機能部を制御し、それによって各種機能を実現する。コントローラ１０は、検出部の検出結果に応じて、制御を変更することがある。機能部は、ディスプレイ２Ａ、通信ユニット６、マイク８、及びスピーカ１１を含むが、これらに限定されない。検出部は、タッチスクリーン２Ｂ、ボタン３、照度センサ４、近接センサ５、レシーバ７、カメラ１２、カメラ１３、加速度センサ１５、方位センサ１６、及びジャイロスコープ１７を含むがこれらに限定されない。
【００４９】
コントローラ１０は、例えば、制御プログラム９Ａを実行することにより、ジェスチャに応じて表示させるホーム画面４０を変更する。
【００５０】
カメラ１２は、フロントフェイス１Ａに面している物体を撮影するインカメラである。カメラ１３は、バックフェイス１Ｂに面している物体を撮影するアウトカメラである。
【００５１】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置である。
【００５２】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００５３】
図５においてストレージ９が記憶するプログラムの一部又は全部は、通信ユニット６による無線通信で他の装置からダウンロードされてもよい。図５においてストレージ９が記憶するプログラムの一部又は全部は、ストレージ９に含まれる読み取り装置が読み取り可能な非一過的な記憶媒体に記憶されていてもよい。図５においてストレージ９が記憶するプログラムの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、又はメモリカードである。
【００５４】
図５に示したスマートフォン１の構成は一例であり、本出願の要旨を損なわない範囲において適宜変更してよい。例えば、ボタン３の数と種類は図５の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてよいし、ボタンを備えなくてもよい。図５に示した例では、スマートフォン１が２つのカメラを備えるが、スマートフォン１は、１つのカメラのみを備えてもよいし、カメラを備えなくてもよい。図５に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも一つを検出するための他の種類のセンサを備えてもよい。
【００５５】
以下、図６〜図１３を参照しながら、スマートフォン１が、利用者のタッチスクリーンディスプレイ２に対するジェスチャに応じて行う処理について説明する。
【００５６】
図６は、実施形態に係るスマートフォンが行う制御の第１の例を示す図である。図６では、ユーザが、指をホーム画面４０の左端近傍の所定領域に接触させた状態で、指を右方向へ移動させている。又は、ユーザが、タッチスクリーンディスプレイ２の表面をなぞっている。このとき、スマートフォン１のコントローラ１０は、スワイプを検出する。具体的には、コントローラ１０は、ホーム画面４０の左端近傍の所定領域内を始点とする右方向へのスワイプを検出する。そして、ユーザが指を右方向へ移動させると、コントローラ１０は、当該移動の軌跡に沿って、メモオブジェクト５５をホーム画面４０に表示する。メモオブジェクト５５は、付箋の形状を模したオブジェクトである。メモオブジェクト５５は、スワイプの始点であるホーム画面４０の左端側に位置する部分がホーム画面４０に糊づけされているように表示される。メモオブジェクト５５は、ユーザによってなぞられた領域に対応して表示される。
【００５７】
ホーム画面４０の左端近傍の所定領域は、例えば、ホーム画面４０の左端と、ホーム画面４０の左端からホーム画面４０の短手方向の長さの２０分の１の長さだけ離れた位置の間の領域である。尚、所定領域の位置及び領域の広さは、適宜設定され得る。例えば、所定領域は、ホーム画面４０の右端、下端又は上端のいずれかの近傍の領域であってもよい。
【００５８】
コントローラ１０は、メモオブジェクト５５をホーム画面４０に表示する場合、スワイプが行われている最中に、メモオブジェクト５５がユーザの指に追随して徐々に長くなる（徐々に伸びていく）ように表示してよい。コントローラ１０は、スワイプが行われている最中はメモオブジェクト５５を表示せず、スワイプが終了すると、すなわちユーザの指がタッチスクリーン２Ｂから離れたことを検出すると、その時点で初めてメモオブジェクト５５を表示してもよい。コントローラ１０は、メモオブジェクト５５の長さを、スワイプの軌跡の長さと同じ長さとしてよいし、スワイプの軌跡の長さより短く或いは長くしてもよい。
【００５９】
図７は、実施形態に係るスマートフォンが行う制御の第１の例の処理手順を示すフローチャートである。
【００６０】
スマートフォン１のコントローラ１０は、ステップＳ１で、スワイプを検出する。そして、ステップＳ２に進む。コントローラ１０は、ステップＳ２として、検出したスワイプの始点がホーム画面４０の端部領域内にあるか否かを判定する。ホーム画面４０の端部領域は、図６に示す例では、ホーム画面４０の左端と、ホーム画面４０の左端からホーム画面４０の短手方向の長さの２０分の１の長さだけ離れた位置の間の領域である。コントローラ１０は、検出したスワイプの始点がホーム画面４０の端部領域内にあると判定した場合（ステップＳ２でＹｅｓ）、ステップＳ３に進む。コントローラ１０は、検出したスワイプの始点がホーム画面４０の端部領域内にないと判定した場合（ステップＳ２でＮｏ）、ステップＳ４に進む。
【００６１】
コントローラ１０は、ステップＳ３として、ホーム画面４０上に、スワイプの軌跡に沿ってメモオブジェクト５５を表示する。コントローラ１０は、ステップＳ４として、ホーム画面４０を別のホーム画面に変更する。
【００６２】
次に、図８を用いて、メモオブジェクト５５に文字を入力する処理について説明する。図８は、メモオブジェクトに文字を入力する処理を示す図である。スマートフォン１のコントローラ１０は、図６に示す処理によってメモオブジェクト５５を表示させると、図８のステップＳ１１に示す文字入力画面を表示させ、メモオブジェクト５５に対する文字の入力を可能とする。文字入力画面は、文字入力領域６０とキーボード６１とを含む。図８のステップＳ１１は、ユーザにより、文字入力領域６０に、「１４：００  渋谷」という文字列が入力された様子を示している。
【００６３】
コントローラ１０は、メモオブジェクト５５を表示させた後、メモオブジェクト５５に対するタップを検出すると、文字入力画面に遷移してよい。コントローラ１０は、スワイプが終了すると、すなわちユーザの指がタッチスクリーン２Ｂから離れたことを検出すると、メモオブジェクト５５を表示させるとともに自動的に文字入力画面に遷移してもよい。
【００６４】
文字の入力が確定すると、図８のステップＳ１２に示すように、メモオブジェクト５５の重要度を設定することもできる。もちろん、重要度を設定する画面に遷移しなくともよい。
【００６５】
そして、ユーザの操作に基づいて文字の入力が確定しメモオブジェクト５５の重要度が設定されると、コントローラ１０は、図８のステップＳ１３に示すように、メモオブジェクト５５をホーム画面４０に表示させる。メモオブジェクト５５には、図８のステップＳ１１で文字入力領域６０に入力された文字が表示されている。図８のステップＳ１３では、メモオブジェクト５５が、ホーム画面４０に表示される複数のアイコン５０のうち一部のアイコンに重ねて表示されている。
【００６６】
図９Ａ及び図９Ｂは、実施形態に係るスマートフォンが行う制御の第２の例を示す図である。図９Ａに示すように、ホーム画面４０には、メモアプリケーションに対応するアイコン５０が表示されている。そして、ユーザが、指をアイコン５０に接触させた状態で、指を右方向へ移動させている。このとき、スマートフォン１のコントローラ１０は、アイコン５０を始点とする右方向へのスワイプを検出する。そして、ユーザが指を右方向へ移動させると、コントローラ１０は、当該移動の軌跡に沿って、横方向に長いメモオブジェクト５５をホーム画面４０に表示する。図９Ａでは、メモオブジェクト５５は、アイコン５０から引き出されたように表示される。
【００６７】
図９Ａでは、ユーザがメモアプリケーションに対応するアイコン５０から右方向へのスワイプを行う例を示したが、スワイプの方向はこれに限られない。図９Ｂでは、ユーザが、アイコン５０から下方向へのスワイプを行っている。コントローラ１０は、アイコン５０を始点とする下方向へのスワイプを検出すると、スワイプの軌跡に沿って、縦方向に長いメモオブジェクト５５をホーム画面４０に表示させる。
【００６８】
コントローラ１０は、スワイプの方向に応じて、メモオブジェクト５５に対して文字を縦書きで入力可能とするか或いは横書きで入力可能とするかを決定してよい。すなわち、図９Ａのように横長のメモオブジェクト５５を表示する場合には、図８のステップＳ１１の文字入力領域６０において文字を横書きで入力可能とし、図９Ｂのように縦長のメモオブジェクト５５を表示する場合には、文字入力領域６０において文字を縦書きで入力可能としてよい。
【００６９】
図１０は、実施形態に係るスマートフォンが行う制御の第３の例を示す図である。図１０のステップＳ２１では、メモオブジェクト５５ａが表示されたホーム画面４０ａに対して、ユーザが左方向へのスワイプを行っている。このスワイプの始点は、上述したホーム画面４０ａの端部の所定領域内ではなく、ホーム画面４０ａの中央近傍である。コントローラ１０は、図７のフローチャートに示すように、検出したスワイプの始点がホーム画面４０ａの端部領域内にないと判定し、図１０のステップＳ２２に示すように、ホーム画面４０ａを、当該ホーム画面４０ａの右隣のホーム画面であるホーム画面４０ｂに変更する。このとき、コントローラ１０は、ホーム画面４０ｂに元々表示されていた、メモオブジェクト５５ａとは別のメモオブジェクト５５ｂを表示する。
【００７０】
このように、コントローラ１０は、メモオブジェクト５５ａをホーム画面４０ａに対応付け、ホーム画面４０ａを変更する（切り替える）ジェスチャが行われると、ディスプレイ２Ａに表示されるホーム画面４０ｂに対応付けられたメモオブジェクト５５ｂを表示する。コントローラ１０は、例えば、メモオブジェクト５５ａに対するタップが検出された状態でホーム画面４０ａを変更する（切り替える）ジェスチャが行われると、ホーム画面４０ｂ上にメモオブジェクト５５ａを表示させてもよい。すなわち、コントローラ１０は、メモオブジェクト５５ａを表示させたまま、ホーム画面を変更してもよい。
【００７１】
図１１Ａ及び図１１Ｂは、実施形態に係るスマートフォンが行う制御の第４の例を示す図である。図１１Ａでは、ホーム画面４０にメモオブジェクト５５が表示されているときに、ユーザが領域４２に対して下方向にスワイプを行っている。コントローラ１０は、領域４２に対するスワイプを検出すると、スワイプに追随して、ドロワー４２０を表示させる。ドロワー４２０は、未読メールがあること、アプリケーションが更新されたこと等の種々の情報が表示される領域である。図１１Ａに示すように、コントローラ１０は、ユーザのスワイプに応じて領域４２から引き出されたドロワー４２０によってメモオブジェクト５５が覆われ、その後ユーザがドロワー４２０に対して領域４２に向かう方向（引き出されたドロワー４２０を領域４２へ戻す方向）のスワイプを行うと、メモオブジェクト５５を非表示とする。これにより、ホーム画面４０の視認性が確保される。
【００７２】
そして、メモオブジェクト５５が非表示となった後、図１１Ｂに示すように、ユーザが再度ドロワー４２０を表示させさらにドロワー４２０を戻すジェスチャを行うと、メモオブジェクト５５がホーム画面４０に再度表示される。
【００７３】
図１２は、実施形態に係るスマートフォンが行う制御の第５の例を示す図である。図１２のステップＳ３１では、ホーム画面４０に表示されたメモオブジェクト５５に対して、ユーザが左方向へのフリックを行っている。コントローラ１０は、メモオブジェクト５５に対する左方向のフリックを検出すると、図１２のステップＳ３２に示すように、メモオブジェクト５５を、該メモオブジェクト５５の一部がホーム画面４０の端部から延びるようにホーム画面４０に表示させる。ここで、図１２のステップＳ３１において、メモオブジェクト５５に例えば図８のステップＳ１３のように「１４：００  渋谷」と入力されていた場合、図１２のステップＳ３２に示す状態において、ホーム画面４０の端部に位置するメモオブジェクト５５の一部に、「渋  １４」と表示してよい。すなわち、コントローラ１０は、所定の文字列が入力されたメモオブジェクト５５を、その一部だけが表示される状態にした場合に、メモオブジェクトの一部に、入力されていた文字列の一部を表示させてよい。これにより、ホーム画面４０の視認性を確保しつつ、ユーザがメモオブジェクトの存在も認識することができ、使い勝手が向上する。
【００７４】
図１３は、実施形態に係るスマートフォンが行う制御の第６の例を示す図である。図１３では、ディスプレイ２Ａにロック画面４５が表示されている。ロック画面４５は、スマートフォン１の不正使用を防止するために設けられる画面である。図１３に示すように、ユーザが、ロック画面４５に対してスワイプを行っている。コントローラ１０は、スワイプを検出すると、当該スワイプの軌跡に沿って、メモオブジェクト５５をロック画面４５に表示する。
【００７５】
図１０を用いて説明したように、スマートフォン１は、複数のホーム画面４０を切り替えて表示させることができるため、図７に示すフローチャートに従って、コントローラ１０は、ホーム画面４０を切り替えるスワイプと、メモオブジェクト５５を表示させるスワイプとを区別している。しかし、ロック画面４５は、スワイプにより切り替える対象の画面を有さないため、図１３に示すように、ロック画面４５が表示されている状態では、スワイプがロック画面の中央部を始点とするものであっても、メモオブジェクト５５を表示してよい。すなわち、スワイプは、画面の端部領域を始点とするものでなくともよい。
【００７６】
そして、コントローラ１０は、ロック画面４５にメモオブジェクト５５が表示された状態において、メモオブジェクト５５に対するタップを検出し、かつロックを解除する操作が行われたことを検出すると、ロック画面４５に表示されていたメモオブジェクト５５を、ホーム画面４０に表示してもよい。
【００７７】
以上説明したように、本実施形態に係るスマートフォン１は、ホーム画面４０或いはロック画面４５に対するスワイプが行われると、当該スワイプの軌跡に沿って、文字を入力可能なメモオブジェクト５５を表示する。これにより、特定のアプリケーションを起動せずとも情報を表示可能なメモオブジェクトを、直観的な操作でホーム画面上に表示させることができ、使い勝手が向上する。図６に示した本実施形態に係るスマートフォン１の制御は、ホーム画面に配置されたアイコンをタップしてメモアプリケーションを起動し、その後所定の操作によりメモオブジェクトをホーム画面に配置する技術と比較すると、メモオブジェクトをホーム画面に配置するための工程数が少ないため、ユーザの使い勝手が向上する。
【００７８】
また、図９に示す制御によれば、ホーム画面４０に配置されたメモアプリケーションアイコンを起点としてメモオブジェクトを生成することができるため、ユーザが直観的な操作で容易にメモオブジェクトを画面に配置することができる。
【００７９】
また、本実施形態に係るスマートフォン１は、上述の制御の例に限られず、種々の実施態様が考えられる。例えば、上記の制御例では、メモオブジェクト５５に「１４：００  渋谷」という時刻に関する情報が入力される例を示した。スマートフォン１のコントローラ１０は、このように、時刻が入力されたメモオブジェクト５５について、当該入力された時刻が過ぎると自動的に非表示としてよい。或いは、入力された時刻が過ぎると、メモオブジェクト５５を、画面から剥がれかけているような態様、色がくすんだような態様、傷が付いたような態様又は折り畳まれたような態様で表示してよい。これにより、ユーザが自分の予定をメモオブジェクト５５に入力していた場合に、予定の時刻が過ぎたメモオブジェクト５５の表示態様を上記のように変更することで、ユーザに予定の時刻が過ぎたことを通知することができる。結果、通知を受けたユーザは、例えば時刻の過ぎたメモオブジェクト５５を削除することができる。
【００８０】
また、コントローラ１０は、複数のメモオブジェクト５５に入力された情報を比較し、同一或いは類似の情報が入力されていれば、該複数のメモオブジェクト５５を、少なくとも両者の一部が重なるように表示してよい。これにより、ホーム画面の視認性を確保することができる。
【００８１】
また、コントローラ１０は、ホーム画面４０或いはロック画面４５において異なる２点でのタップを同時に検出すると、メモオブジェクト５５を表示してよい。このとき、メモオブジェクト５５の長さを、タップが検出された２点間の距離と同じとしてよい。
【００８２】
また、コントローラ１０は、図１２に示すような、メモオブジェクト５５を生成したときのスワイプと逆方向のスワイプがメモオブジェクト５５に対して行われると、当該メモオブジェクト５５を削除しても良い。
【符号の説明】
【００８３】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｚ  設定データ
１０    コントローラ
１１    スピーカ
１２、１３  カメラ
１４    コネクタ
１５    加速度センサ
１６    方位センサ
１７    ジャイロスコープ
２０    ハウジング
４０  ホーム画面
４５  ロック画面
５０  アイコン
５５  メモオブジェクト
【図１】
2014175395.tif 000003
【図２】
2014175395.tif 000004
【図３】
2014175395.tif 000005
【図４】
2014175395.tif 000006
【図５】
2014175395.tif 000007
【図６】
2014175395.tif 000008
【図７】
2014175395.tif 000009
【図８】
2014175395.tif 000010
【図９Ａ】
2014175395.tif 000011
【図９Ｂ】
2014175395.tif 000012
【図１０】
2014175395.tif 000013
【図１１Ａ】
2014175395.tif 000014
【図１１Ｂ】
2014175395.tif 000015
【図１２】
2014175395.tif 000016
【図１３】
2014175395.tif 000017
【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
タッチスクリーンディスプレイと、
前記タッチスクリーンディスプレイにより物体が当該タッチスクリーンディスプレイに接触したまま所定の方向に移動したことが検出されると、当該移動の軌跡に沿って、文字の入力が可能なオブジェクトを前記タッチスクリーンディスプレイに表示された画面上に表示させるコントローラと、
を備え、
前記コントローラは、ホーム画面を前記タッチスクリーンディスプレイに表示しているときに、前記ホーム画面の端部領域内を始点とする前記移動が検出されると前記オブジェクトを前記ホーム画面上に表示し、前記ホーム画面の端部領域外を始点とする前記移動が検出されると、表示されているホーム画面を別のホーム画面に変更する装置。
【請求項２】
前記コントローラは、所定のアイコンが表示されるホーム画面を前記タッチスクリーンディスプレイに表示し、前記物体の前記所定のアイコンに対する接触が検出された後前記物体が接触したまま所定の方向に移動したことが検出されると、前記アイコンを始点とし前記移動の軌跡に沿った前記オブジェクトを前記ホーム画面上に表示させる
請求項１に記載の装置。
【請求項３】
タッチスクリーンディスプレイと、
前記タッチスクリーンディスプレイに対してスワイプが行われると、当該スワイプの軌跡に沿って、文字の入力が可能なオブジェクトを前記タッチスクリーンディスプレイに表示された画面上に表示させるコントローラと、
を備え、
前記コントローラは、ホーム画面を前記タッチスクリーンディスプレイに表示しているときに、前記ホーム画面の端部領域内を始点とする前記スワイプが行われると前記オブジェクトを前記ホーム画面上に表示し、前記ホーム画面の端部領域外を始点とする前記スワイプが行われると、表示されているホーム画面を別のホーム画面に変更する装置。
【請求項４】
タッチスクリーンディスプレイと、
前記タッチスクリーンディスプレイがなぞられると、なぞられた領域に、文字の入力が可能なオブジェクトを前記タッチスクリーンディスプレイに表示された画面上に表示させるコントローラと、
を備え、
前記コントローラは、ホーム画面を前記タッチスクリーンディスプレイに表示しているときに、前記ホーム画面の端部領域内を始点として前記タッチスクリーンディスプレイがなぞられると前記オブジェクトを前記ホーム画面上に表示し、前記ホーム画面の端部領域外を始点として前記タッチスクリーンディスプレイがなぞられると、表示されているホーム画面を別のホーム画面に変更する装置。
【請求項５】
タッチスクリーンディスプレイを備える装置を制御する方法であって、
前記タッチスクリーンディスプレイにより物体が当該タッチスクリーンディスプレイに接触したまま所定の方向に移動したことを検出するステップと、
検出された当該移動の軌跡に沿って、文字の入力が可能なオブジェクトを前記タッチスクリーンディスプレイに表示された画面上に表示させるステップと、
ホーム画面を前記タッチスクリーンディスプレイに表示しているときに、前記ホーム画面の端部領域内を始点とする前記移動が検出されると前記オブジェクトを前記ホーム画面上に表示し、前記ホーム画面の端部領域外を始点とする前記移動が検出されると、表示されているホーム画面を別のホーム画面に変更するステップと
を含む方法。
【請求項６】
タッチスクリーンディスプレイを備える装置に、
前記タッチスクリーンディスプレイにより物体が当該タッチスクリーンディスプレイに接触したまま所定の方向に移動したことを検出するステップと、
検出された当該移動の軌跡に沿って、文字の入力が可能なオブジェクトを前記タッチスクリーンディスプレイに表示された画面上に表示させるステップと、
ホーム画面を前記タッチスクリーンディスプレイに表示しているときに、前記ホーム画面の端部領域内を始点とする前記移動が検出されると前記オブジェクトを前記ホーム画面上に表示し、前記ホーム画面の端部領域外を始点とする前記移動が検出されると、表示されているホーム画面を別のホーム画面に変更するステップと
を実行させるプログラム。
【請求項７】
タッチスクリーンディスプレイと、
前記タッチスクリーンディスプレイにより物体が当該タッチスクリーンディスプレイに接触したまま所定の方向に移動したことが検出されると、当該移動の軌跡に沿って、文字の入力が可能なオブジェクトを前記タッチスクリーンディスプレイに表示された画面上に表示させるコントローラと、
を備え、
前記コントローラは、前記移動の方向に応じて、前記オブジェクトに対して文字を縦書きで入力可能とするか或いは横書きで入力可能とするかを決定する
装置。
【請求項８】
前記コントローラは、所定のアイコンが表示されるホーム画面を前記タッチスクリーンディスプレイに表示し、前記物体の前記所定のアイコンに対する接触が検出された後前記物体が接触したまま所定の方向に移動したことが検出されると、前記アイコンを始点とし前記移動の軌跡に沿った前記オブジェクトを前記ホーム画面上に表示させる
請求項７に記載の装置。
【請求項９】
タッチスクリーンディスプレイと、
前記タッチスクリーンディスプレイに対してスワイプが行われると、当該スワイプの軌跡に沿って、文字の入力が可能なオブジェクトを前記タッチスクリーンディスプレイに表示された画面上に表示させるコントローラと、
を備え、
前記コントローラは、前記スワイプの方向に応じて、前記オブジェクトに対して文字を縦書きで入力可能とするか或いは横書きで入力可能とするかを決定する
装置。
【請求項１０】
タッチスクリーンディスプレイと、
前記タッチスクリーンディスプレイがなぞられると、なぞられた領域に、文字の入力が可能なオブジェクトを前記タッチスクリーンディスプレイに表示された画面上に表示させるコントローラと、
を備え、
前記コントローラは、前記タッチスクリーンディスプレイがなぞられる方向に応じて、前記オブジェクトに対して文字を縦書きで入力可能とするか或いは横書きで入力可能とするかを決定する
装置。
【請求項１１】
タッチスクリーンディスプレイを備える装置を制御する方法であって、
前記タッチスクリーンディスプレイにより物体が当該タッチスクリーンディスプレイに接触したまま所定の方向に移動したことを検出するステップと、
検出された当該移動の軌跡に沿って、文字の入力が可能なオブジェクトを前記タッチスクリーンディスプレイに表示された画面上に表示させるステップと、
前記移動の方向に応じて、前記オブジェクトに対して文字を縦書きで入力可能とするか或いは横書きで入力可能とするかを決定するステップと
を含む方法。
【請求項１２】
タッチスクリーンディスプレイを備える装置に、
前記タッチスクリーンディスプレイにより物体が当該タッチスクリーンディスプレイに接触したまま所定の方向に移動したことを検出するステップと、
検出された当該移動の軌跡に沿って、文字の入力が可能なオブジェクトを前記タッチスクリーンディスプレイに表示された画面上に表示させるステップと、
前記移動の方向に応じて、前記オブジェクトに対して文字を縦書きで入力可能とするか或いは横書きで入力可能とするかを決定するステップと
を実行させるプログラム。
【国際調査報告】
2014175395.tif 000018
2014175395.tif 000019
2014175395.tif 000020
2014175395.tif 000021